(57)【要約】【課題】食品粉末を煎じて浸出するドリッパーにおいて，平面で無加工ろ紙から手動でプレス成型してフィルターとする機能を追加したドリッパーを提供する。【解決手段】食品粉末を収容するドリッパー内部の平面断面形状が星形であるプレス成型の下型（凹形状）で，相対してかみ合う星形状の上型（凸形状）の押し板と組み合わせて一組のプレス型を構成し，平面で無加工ろ過紙から手動でプレス成型されて該ドリッパーに対応した過紙を作り，且つ下型がドリッパーとして利用できる事を特徴としたろ過紙プレス成型機能付きドリッパーである．【選択図】図１
0003176935.tif 000002
【実用新案登録請求の範囲】
【請求項１】
食品粉末を煎じて浸出するペーパードリツプシステムにおいて，ドリッパーの粉末収容部の水平断面が星形で，底部側に浸出用穴５を有し，前記粉末収容部が凹形状の下型となり，前記ドリッパーの粉末収容部の横断面に嵌まり込む形の押し板３が上型となるように組み合わせて一対のプレス用金型を構成する事を特徴とするろ過紙プレス成形機能付きドリッパー．
【請求項２】
押し板（上型）３の外表面形状の星形ポンチ面９と内側の予備ドリッパーの紙受け面８が相似形である事、また、先端部に押し板の浸出用穴１０を有する事を特徴とする実用新案請求項１項に記載のろ過紙プレス成形機能付きドリッパー．
【考案の詳細な説明】
【技術分野】
【０００１】
本考案は食品粉末を煎じて浸出するドリッパーにおいて，ろ過紙を手動でプレス成形する機能を有したドリッパーに関する。
【背景技術】
【０００２】
１９０８年ドイツで考案されたペーパードリツプシステムは，世界中で広く利用されている．本法は食品粉末等を煎じて浸出するドリッパーにおいて，該ドリッパーに対応したろ過紙が必要である．該ろ過紙は平面ろ紙を適切な形に裁断，且つ端面がエンボス圧着加工して作られている．また，該ろ過紙の使用時は圧着部が剥がれないように折り曲げて使用しなければならない欠点があり，これらの加工を最小限としたろ過紙，ドリッパーが求められていた．そこで，過去に広く利用されていた蛇の目傘の半開き状態の形状を参考にしてろ過紙を設計する事ができる．すなわち，該半開き状態のろ過紙を成形する一対のプレス金型を準備する事により，本考案の目的が実用化される．
本実用新案は，ドリッパー部をプレスの下型（凹型），形状的に相対して噛み合う上型（凸型）とした一対の部品からなり，手動によりプレス成形されて多角錐体状のろ過紙を作り，下型はドリッパーとして利用できる事を特徴としたろ過紙プレス成型機能付きドリッパーである．
【考案の概要】
【考案が解決しようとする課題】
【０００３】
本考案は，食品粉末を煎じて浸出するドリッパーにおいて，一枚の平面ろ過紙を手の力で成形できるプレス上型を追加してコーヒー等の紙フィルターが作る事ができるドリッパーを提供する。ろ過紙の機能をもつ視点からは，一枚の平面的な紙を折り畳む合理的な形状の一つは，蛇の目傘を半開きした時の横断面が星形である多角錐体形状である．
一方，食品粉末の浸出する液体落下速度と体積量はヒトが好む味覚や香りに関係するので，該多角錐体の対称軸が流れ方向で，通過断面変化が比例的であり注ぐ熱湯の量は制御しやすい単純形状となっている．従来のメリタ方式が浸出部一箇所，円錐ドリッパー方式も浸出部一箇所なっており長年にわたり継続的に使われている．本考案の角錐体も形状的に等価となっている．
【課題を解決するための手段】
【０００４】
本考案は，従来の紙フィルターと同等の味覚と香りが得られるように浸出部が長軸中心の一箇所となる形態のろ過紙に成型される形状で，一対の上型と下型の金型となり、且つドリッパーとしての機能も有する設計とした．
一方，長軸の直角断面が星形である錐体の先端部は，鋭角で細く強度的に弱くなり破損する可能性がある．破損を防止するために成型されるろ過紙の先端部は曲面とする事で解決した．
【考案の効果】
【０００５】
本考案は，単純な形の一枚の紙からプレス成形してろ過紙を作る事ができる金型を兼ねたドリッパーである．また，作成前の紙の外周を多角形，あるいはフリル形状とすると成形後は花びらのような形となる．また、エンボス加工部が無いので，ろ過紙の先端部を手で持ち上げて抽出後の粉末処理をおこなっても破損する可能性は極めて低い．
本技術により，従来の製造過程におけるろ紙の裁断，加工にかかる時間の約９０％が不要となり，最小な素材，省力化，および機械加工に必要な電気エネルギーが少ない低環境負荷で製造されるドリッパーが提供される．
【図面の簡単な説明】
【０００６】
【図１】一対の上型と下型によりプレス金型となる本考案ドリッパーの形状例
【図２】下型となるドリッパー
【図３】上型となる押し板
【図４】ろ過紙成型手順１
【図５】ろ過紙成型手順２
【図６】押し板の予備ドリッパー利用例１
【図７】押し板の予備ドリッパー利用例２
【考案を実施するための形態】
【０００７】
実用新案請求項第１項は，金型の概念を応用して従来のドリッパーにプレス成形を可能とする押し板を追加する事により，以下のような形態と機能を有するろ過紙プレス成形機能付きドリッパーである．
図１は，ドリッパー用ろ過紙を手動でプレス加工するために使用する一対の下型と上型，いわゆる金型の概略を示す．
図２は，下型となるドリッパーの形状を示す．一枚の紙からピラミッド（角錐体）で頭頂点の角度を自由に変形可能な形の一つは星形状である．したがって，食品粉末を収容するドリッパーの形状を星形（雌型）とし，該ドリッパーに対応して嵌り込む星形（雄型）の上型で一対の金型となる．下型ドリッパー２は，浸出用穴５，飲物用カップ１７の上縁部に固定する台座６，取っ手７からなり，従来のドリッパーと等価な機能を持つ．すなわち，本考案によって作られるろ過紙は，従来と同じ使用法で取り扱う事ができる．
図３は，ろ過紙を手動でプレス加工するために使用する押し板（上型）３を示し，星形状ポンチ面９が素材を凹凸状に押し曲げる雄型の役割となる．また，図１のドリッパーで加工されるろ過紙の頭頂部が鋭角の時は強度的に弱くなるので，下型ドリッパー２は曲面体の領域１１を有する．また，押し板（上型）３は，軽量化の為に板厚小で、本体の外表面と内表面は相似の形として作図した（図２）．
【実施例】
【０００８】
図４は，ろ過紙成形手順１を示した本考案の実施例である．加工前ろ過紙１２を下型ドリッパー２の上縁に入れ，熱湯サーバー１３などを用い少しの湯通しを行う事が理想的である．この処理より，水分を含んだ紙素材は自由な伸張状態となる．
図５はろ過紙成形手順２を示し，押し板（上型）３を下型ドリッパー２に嵌り込むようにヒトの手１５の力により下側へ押し下げる．これにより下型ドリッパー２の星形状受け面４に対応した形のろ過紙が製作できる．
実用新案請求項第２項は，押し板（上型）３に押し板の浸出用穴１０を追加した事により、以下のような利用を可能としたろ過紙プレス成形機能付きドリッパーである．
図６は，押し板（上型）３を予備的なドリッパーとして利用した例１で，飲物カップ１７に置く事により遂行される．
図７は，押し板の予備ドリッパー利用例２を示し，安定して飲物用カップ１７に固定する為に，押し板用固定板１８を使った実施例である．該押し板用固定板１８は，星形穴を有する形状が安定的である．
【産業上の利用可能性】
【０００９】
コーヒーなど食品粉末のペーパードリツプシステムとして利用できる。
【符号の説明】
【００１０】
１  ろ過紙プレス成形機能付きドリッパー
２  下型ドリッパー
３  押し板（上型）
４  星形状受け面
５  浸出用穴
６  台座
７  取っ手
８  予備ドリッパーの紙受け面
９  星形ポンチ面
１０  押し板の浸出用穴
１１  曲面体領域
１２  加工前ろ過紙
１３  熱湯サーバー
１４  成型途中のろ過紙
１５  ヒトの手
１６  プレス製作されたろ過紙
１７  飲物用カップ
１８  押し板用固定板
【図１】
0003176935.tif 000003
【図２】
0003176935.tif 000004
【図３】
0003176935.tif 000005
【図４】
0003176935.tif 000006
【図５】
0003176935.tif 000007
【図６】
0003176935.tif 000008
【図７】
0003176935.tif 000009